(57)【要約】【課題】マット本体からの抜け落ちやがたつきを防止できるグラウンドゴルフ用ボールスタンドおよびそれを用いたスタートマットを提供する。【解決手段】グラウンドゴルフ用スタートマット１０は、マット本体１２と、ボールスタンド１４とを備えている。ボールスタンド１４は、基板３０と、基板３０の上面３０ａに設けられた弾性材料からなる筒状の支柱部３２とを備えている。支柱部３２は、上方に向けて外面が徐々に外側に広がるように形成されている。支柱部３２の下端部３６は、貫通孔２０に嵌め込み可能な外形に形成されるとともに、貫通孔２０の内面に弾性的に圧接可能な大きさに形成されている。支柱部３２には、スリット４６ａ，４６ｂ，４６ｃが、上端に開口して設けられている。支柱部３２の上端部には、ボール載置部５４ａ，５４ｂ，５４ｃが設けられている。支柱部３２を貫通孔２０に下方から挿入する際には、支柱部３２の上端部３８を押し潰す。【選択図】図４
2018191700.tif 000002
【特許請求の範囲】
【請求項１】
グラウンドゴルフで使用されるスタートマットのマット本体に設けられた貫通孔に取り付け可能に構成されたグラウンドゴルフ用ボールスタンドであって、
平板状の基板と、
前記基板の上面に上方に突出して設けられた弾性材料からなる筒状の支柱部とを備え、
前記支柱部は、上方に向けて外面が徐々に外側に広がるように形成されており、
前記支柱部の下端部は、前記貫通孔に嵌め込み可能な外形に形成されるとともに、前記貫通孔の内面に弾性的に圧接可能な大きさに形成されており、
前記支柱部の上端部には、ボールが載置されるボール載置部が設けられている、グラウンドゴルフ用ボールスタンド。
【請求項２】
前記支柱部には、上下方向に延びる少なくとも１つのスリットが前記支柱部の上端に開口して設けられている、請求項１に記載のグラウンドゴルフ用ボールスタンド。
【請求項３】
前記スリットは、上方に向けて幅が広くなるようにＶ字状に形成されており、
前記スリットのＶ字状の谷に当たる部分の内側面は、滑らかな曲面に形成されている、請求項２に記載のグラウンドゴルフ用ボールスタンド。
【請求項４】
前記支柱部の上端部は、３つの前記スリットによって３つの分割片に分割されており、
前記ボール載置部は、３つの前記分割片のそれぞれの上端部に設けられており、
３つの前記分割片のそれぞれでは、下端部の幅が上端部の幅よりも広くされている、請求項２または３に記載のグラウンドゴルフ用ボールスタンド。
【請求項５】
前記支柱部の下端部には、前記支柱部の上端部よりも厚さが厚くされた基部が設けられている、請求項１ないし４のいずれか１項に記載のグラウンドゴルフ用ボールスタンド。
【請求項６】
前記基板には、前記支柱部の内部空間と連通する貫通孔が設けられている、請求項１ないし５のいずれか１項に記載のグラウンドゴルフ用ボールスタンド。
【請求項７】
請求項１ないし６のいずれか１項に記載のグラウンドゴルフ用ボールスタンドと、前記グラウンドゴルフ用ボールスタンドが取り付けられる板状のマット本体とを備える、グラウンドゴルフ用スタートマットであって、
前記マット本体には、前記支柱部の下端部が下方から嵌め込まれる貫通孔が設けられている、グラウンドゴルフ用スタートマット。
【発明の詳細な説明】
【技術分野】
【０００１】
本発明は、グラウンドゴルフに用いられるグラウンドゴルフ用ボールスタンドおよびスタートマットに関する。
【背景技術】
【０００２】
グラウンドゴルフでは、スタートマットからボールを打ち始めて、ボールがホールポスト内に静止するまでの打数が競われる。一般的なスタートマットは、シート状のマット本体と、ボールを支持する円筒状または円柱状のボールスタンドとを有しており、マット本体に設けられた円形の貫通孔にボールスタンドが嵌め込まれている。円筒状または円柱状のボールスタンドの外径は、軸方向の全長にわたってほぼ一定にされており、製造時には、貫通孔の内径とボールスタンドの外径とがほぼ同じ大きさにされている。そのため、経年変形などでボールスタンドの外径が貫通孔の内径よりも相対的に小さくなると、ボールスタンドが貫通孔から抜け落ち易くなるという問題があった。
【０００３】
そこで、従来からボールスタンドの抜け落ちを防止するための技術が開発されており、その一例が下記特許文献１に記載されている。特許文献１に記載されたボールスタンドは、マット本体に設けられた円形の取付孔に嵌め込まれる円柱状の柱状部を有しており、柱状部には、取付孔の周縁に係合される係合部が設けられている。
【先行技術文献】
【特許文献】
【０００４】
【特許文献１】実用新案登録第３１６１２９６号
【０００５】
しかしながら、上記特許文献１に記載されたボールスタンドでは、係合部が取付孔の周縁に取付孔の軸方向から係合されていたので、経年変形などで柱状部の外径が取付孔の内径よりも相対的に小さくなると、柱状部の外面と取付孔の内面との間に隙間が生じるおそれがあった。そのため、取付孔の軸方向に対して直交する方向においては、ボールスタンドががたつき易いという問題があった。
【発明の概要】
【０００６】
本発明は上記問題に対処するためになされたものであり、マット本体からの抜け落ちやがたつきを防止できるグラウンドゴルフ用ボールスタンドおよびそれを用いたスタートマットを提供することを目的とする。
【０００７】
上記目的を達成するため、本発明に係るグラウンドゴルフ用ボールスタンドは、グラウンドゴルフで使用されるスタートマットのマット本体に設けられた貫通孔に取り付け可能に構成されたグラウンドゴルフ用ボールスタンドであって、平板状の基板と、基板の上面に上方に突出して設けられた弾性材料からなる筒状の支柱部とを備え、支柱部は、上方に向けて外面が徐々に外側に広がるように形成されており、支柱部の下端部は、貫通孔に嵌め込み可能な外形に形成されるとともに、貫通孔の内面に弾性的に圧接可能な大きさに形成されており、支柱部の上端部には、ボールが載置されるボール載置部が設けられていることにある。
【０００８】
この構成では、平板状の基板の上面に支柱部が設けられており、支柱部の下端部は、マット本体の貫通孔に嵌め込み可能な外形に形成されるとともに、貫通孔の内面に弾性的に圧接可能な大きさに形成されているので、支柱部の下端部がマット本体の貫通孔に嵌め込まれた状態では、支柱部の上方への動きを基板で抑制できるとともに、支柱部の下方への動きを貫通孔の内面に圧接された支柱部の外面で抑制できる。これにより、ボールスタンドが貫通孔から抜け落ちることを防止できる。支柱部の外面は貫通孔の内面に圧接されるので、支柱部のがたつきは生じ難い。支柱部は弾性材料で筒状に形成されているので、支柱部の下端部をマット本体の貫通孔に嵌め込む際には、支柱部の上端部を押し潰して、貫通孔に下方から挿入することができる。支柱部は、上方に向けて外面が徐々に外側に広がるように形成されているので、ボール載置部が大きくなっており、ボールを安定して受けることができる。
【０００９】
また、支柱部は、弾性材料で形成されており、かつ、上方に向けて外面が徐々に外側に広がるように形成されているので、支柱部の下端部が貫通孔に嵌め込まれた状態では、支柱部が貫通孔の上端部内面に圧接される力を、支柱部が貫通孔の下端部内面に圧接される力よりも大きくすることができる。したがって、支柱部をボール載置部に近い部分でしっかりと支持することが可能であり、支柱部のがたつきを生じることなく、ボールを安定して受けることができる。また、支柱部が貫通孔の下端部内面に圧接される力を小さくして、支柱部を貫通孔に挿入するときの抵抗を小さくすることが可能であり、支柱部の挿入作業を簡単に行うことができる。
【００１０】
本発明に係るグラウンドゴルフ用ボールスタンドの他の特徴は、支柱部には、上下方向に延びる少なくとも１つのスリットが支柱部の上端に開口して設けられていることにある。
【００１１】
この構成では、スリットが上下方向に延びて、支柱部の上端に開口して設けられているので、支柱部の上端部を押し潰し易い。
【００１２】
本発明に係るグラウンドゴルフ用ボールスタンドの他の特徴は、スリットは、上方に向けて幅が広くなるようにＶ字状に形成されており、スリットのＶ字状の谷に当たる部分の内側面は、滑らかな曲面に形成されていることにある。
【００１３】
この構成では、スリットがＶ字状に形成されているので、Ｖ字状の谷に当たる部分を中心として、支柱部を変形させ易い。また、Ｖ字状の谷に当たる部分では、内側面が滑らかな曲面に形成されているので、応力集中を抑制することが可能であり、この部分の損傷を抑制できる。
【００１４】
本発明に係るグラウンドゴルフ用ボールスタンドの他の特徴は、支柱部の上端部は、３つのスリットによって３つの分割片に分割されており、ボール載置部は、３つの分割片のそれぞれの上端部に設けられており、３つの分割片のそれぞれでは、下端部の幅が上端部の幅よりも広くされていることにある。
【００１５】
この構成では、ボール載置部が、３つの分割片のそれぞれの上端部に設けられているので、３点支持によってボールを安定して受けることができる。また、３つの分割片のそれぞれにおいては、下端部の幅が上端部の幅よりも広くされているので、これによってもボールを安定して受けることができる。
【００１６】
本発明に係るグラウンドゴルフ用ボールスタンドの他の特徴は、前記支柱部の下端部には、前記支柱部の上端部よりも厚さが厚くされた基部が設けられていることにある。
【００１７】
この構成では、支柱部の下端部の強度を基部で補強できるので、ボールを安定して受けることができる。
【００１８】
本発明に係るグラウンドゴルフ用ボールスタンドの他の特徴は、基板には、支柱部の内部空間と連通する貫通孔が設けられていることにある。
【００１９】
この構成では、支柱部の内部空間に入り込んだ水などを基板の貫通孔から外部に排出することができる。
【００２０】
上記目的を達成するため、本発明に係るグラウンドゴルフ用スタートマットは、上記のいずれかのグラウンドゴルフ用ボールスタンドと、グラウンドゴルフ用ボールスタンドが取り付けられる板状のマット本体とを備える、グラウンドゴルフ用スタートマットであって、マット本体には、支柱部の下端部が下方から嵌め込まれる貫通孔が設けられていることにある。
【００２１】
この構成では、上記のいずれかのボールスタンドを備えているので、ボールスタンドの抜け落ちやがたつきを防止できる。
【図面の簡単な説明】
【００２２】
【図１】本発明の実施形態に係るグラウンドゴルフ用スタートマットの構成を示す斜視図である。
【図２】図１に示すグラウンドゴルフ用スタートマットの要部の構成を示す部分拡大断面図である。
【図３】図３（Ａ）は、グラウンドゴルフ用ボールスタンドの構成を示す斜視図であり、図３（Ｂ）は、グラウンドゴルフ用ボールスタンドの構成を示す平面図である。
【図４】マット本体に対するボールスタンドの取付方法を示す部分拡大断面図である。
【発明を実施するための形態】
【００２３】
以下、本発明に係るグラウンドゴルフ用ボールスタンドおよびスタートマットの実施形態について図面を参照しながら説明する。なお、以下の説明では、ボールを打ち出す方向を「前」、その反対方向を「後」、前方を向いて右側を「右」、その反対方向を「左」としている。これらの各方向は、図１中に矢印で示した各方向と一致する。
【００２４】
（スタートマット１０の構成）
図１は、本発明の実施形態に係るグラウンドゴルフ用スタートマット（以下、単に「スタートマット」と言う。）１０の構成を示す斜視図である。図２は、スタートマット１０の要部の構成を示す部分拡大断面図である。図３（Ａ）は、グラウンドゴルフ用ボールスタンド（以下、単に「ボールスタンド」と言う。）１４の構成を示す斜視図であり、図３（Ｂ）は、ボールスタンド１４の構成を示す平面図である。図４は、マット本体１２に対するボールスタンド１４の取付方法を示す部分拡大断面図である。
【００２５】
図１に示すスタートマット１０は、グラウンドゴルフ競技のスタート地点においてボールＸを支持するものであり、マット本体１２とボールスタンド１４とを備えている。マット本体１２は、スタート地点の地表面に固定される平面視で長方形の板状部材であり、ゴム弾性を有する弾性材料（ゴム、エラストマなど）によって形成されている。マット本体１２の左右方向中央部であって、前後方向中央部よりもやや前寄りの部分には、ボールスタンド１４が取り付けられる取付部１６が設けられている。
【００２６】
図２に示すように、取付部１６は、マット本体１２の下面１２ａに設けられた底面視で円形の凹部１８と、凹部１８の中心部においてマット本体１２を貫通する貫通孔２０とを有している。貫通孔２０の下端部は、凹部１８の底面１８ａに開かれており、貫通孔２０の上端部は、マット本体１２の上面１２ｂに開かれている。
【００２７】
図１に示すように、マット本体１２の４つの角部のそれぞれには、マット本体１２を地表面に固定するためのピン（図示省略）が挿通される貫通孔２２が設けられている。また、マット本体１２の上面１２ｂには、ボールＸの打ち出し方向を示す線２４や、コース番号などの情報を表示するための表示部２６などが突部または凹部として形成されている。本実施形態では、表示部２６が凹部として形成されており、競技の際には、コース番号が記載されたシート（図示省略）が表示部２６に嵌め込まれる。
【００２８】
（ボールスタンド１４の構成）
図２に示すボールスタンド１４は、マット本体１２に設けられた貫通孔２０に取り付けられて、マット本体１２の上面でボールＸを支持するものであり、ゴム弾性を有する弾性材料（ゴム、エラストマなど）で形成されている。
【００２９】
図３（Ａ）に示すように、ボールスタンド１４は、基板３０と、基板３０の上面３０ａに上方に突出して設けられた円筒状の支柱部３２とを備えている。図３（Ｂ）に示すように、基板３０は、平面視で円形に形成された平板状の板材である。図４に示すように、基板３０の外径Ｄ１は、マット本体１２に設けられた凹部１８の内径Ｄ２よりも小さく、かつ、貫通孔２０の内径Ｄ３よりも大きくされている。基板３０の上下方向長さ（厚さ）は、凹部１８の上下方向長さ（深さ）とほぼ同じか、それよりも短くされている。基板３０には、支柱部３２の内部空間Ｓと連通する貫通孔３４が設けられている。
【００３０】
図４に示すように、支柱部３２は、上方に向けて外面が徐々に外側に広がるように形成されている。本実施形態では、支柱部３２は、上方に向けて外径が徐々に大きくなるように形成されており、これにより、支柱部３２の外面は、逆円錐台状に形成されている。支柱部３２の下端部３６には、内径が小さくされることによって、支柱部３２の上端部３８よりも厚さが厚くされた基部４０が設けられている。支柱部３２の内面における下端部３６と上端部３８との境界部には、基部４０によって段差部４２が生じており、段差部４２の内面は、滑らかな曲面に形成されている。
【００３１】
図４に示すように、支柱部３２の下端部３６は、マット本体１２の貫通孔２０に嵌め込み可能な外形に形成されるとともに、貫通孔２０の内面に弾性的に圧接可能な大きさに形成されている。つまり、支柱部３２の下端部３６は円筒状に形成されており、貫通孔２０の内径をＤ３とし、下端部３６における貫通孔２０の上端縁２０ａに対応する部分（以下、「圧縮部」という。）Ｍの外径をＤ４としたとき、外径Ｄ４は内径Ｄ３よりも少しだけ大きく（Ｄ４＞Ｄ３）されている。したがって、下端部３６を貫通孔２０に嵌め込んだときには、圧縮部Ｍが圧縮され、その弾性復元力によって圧縮部Ｍの外面が貫通孔２０の内面に圧接される。これにより、下端部３６は、貫通孔２０に対して、がたつきを生じることなく、ぴったりと嵌め合わされる。
【００３２】
図３（Ａ）に示すように、支柱部３２には、上下方向に延びる３のスリット４６ａ，４６ｂ，４６ｃが、周方向に一定の間隔を隔てて、支柱部３２の上端に開口して設けられている。これにより、支柱部３２の上端部３８は、３つの分割片４８ａ，４８ｂ，４８ｃに分割されている。各スリット４６ａ，４６ｂ，４６ｃは、上方に向けて幅が広くなるようにＶ字状に形成されている。
【００３３】
図３（Ｂ）に示すように、各スリット４６ａ，４６ｂ，４６ｃの下端部、すなわちＶ字状の谷に当たる部分（以下、「谷部」という。）５０ａ，５０ｂ，５０ｃの内側面（上面）は、滑らかな曲面に形成されており、これにより、応力集中が抑制されている。３つの分割片４８ａ，４８ｂ，４８ｃのそれぞれにおいては、下端部の幅が上端部の幅よりも広くされている。
【００３４】
図３（Ａ），（Ｂ）に示すように、支柱部３２の上端部、すなわち３つの分割片４８ａ，４８ｂ，４８ｃのそれぞれの上端部には、ボールＸ（図２）が載置されるボール載置部５４ａ，５４ｂ，５４ｃが設けられている。本実施形態では、３つの分割片４８ａ，４８ｂ，４８ｃのそれぞれの上端面５２ａ，５２ｂ，５２ｃが、支柱部３２の軸に対して垂直な平坦面であるため、各上端面５２ａ，５２ｂ，５２ｃにボールＸ（図２）を載せると、ボールＸは、各上端面５２ａ，５２ｂ，５２ｃの内周縁に接触する。つまり、本実施形態では、支柱部３２の上端面の内周縁、すなわち各上端面５２ａ，５２ｂ，５２ｃの内周縁がボール載置部５４ａ，５４ｂ，５４ｃとなっている。
【００３５】
図３（Ａ）に示すように、基板３０の上面３０ａにおける支柱部３２の周囲には、平面視で円形の溝６０が設けられている。これにより、基板３０の上面３０ａから立ち上がる支柱部３２の基端（下端）は、溝６０の底部に位置している。
【００３６】
（ボールスタンド１４の取付方法）
図４に示すように、マット本体１２にボールスタンド１４を取り付ける際には、ボールスタンド１４の支柱部３２をマット本体１２の貫通孔２０に下方から挿入し、支柱部３２の下端部３６を貫通孔２０に嵌め込む。支柱部３２を貫通孔２０に挿入する際には、二点鎖線で示すように、支柱部３２の上端部３８を手で内側に押し潰す。図３（Ａ）に示すように、支柱部３２には、３つのスリット４６ａ，４６ｂ，４６ｃが設けられているので、上端部３８を手で押し潰す作業は容易である。
【００３７】
図２に示すように、支柱部３２の下端部３６を貫通孔２０に嵌め込んだ状態では、圧縮部Ｍの外面が貫通孔２０の内面に圧接される。この状態では、貫通孔２０の下端縁２０ｂが溝６０の上方に配置されるので、下端縁２０ｂのバリなどを溝６０に収容することができる。したがって、バリなどの影響を受けることなく、ボールスタンド１４を高い精度でマット本体１２に取り付けることができる。
【００３８】
（スタートマット１０の使用方法）
図１に示すスタートマット１０を、グラウンドゴルフ競技で使用する際には、競技の運営者は、コースの出発点となる地表面にスタートマット１０を配置し、マット本体１２の４つの貫通孔２２のそれぞれにピン（図示省略）を挿し込んで、マット本体１２を地表面に固定する。また、コース番号が記載されたシート（図示省略）を表示部２６に嵌め込む。競技者は、ボールスタンド１４の支柱部３２に設けられたボール載置部５４ａ，５４ｂ，５４ｃにボールＸを載置し、このボールＸをクラブ（図示省略）で前方に打ち出す。
【００３９】
（実施形態の効果）
本実施形態によれば、上記構成により以下の各効果を奏することができる。すなわち、図２に示すように、支柱部３２の下端部３６が貫通孔２０に嵌め込まれた状態では、支柱部３２の上方への動きを基板３０で抑制できるとともに、支柱部３２の下方への動きを貫通孔２０の内面に圧接された支柱部３２の外面で抑制できる。これにより、ボールスタンド１４が貫通孔２０から抜け落ちることを防止できる。支柱部３２の外面は貫通孔２０の内面に圧接されるので、支柱部３２のがたつきは生じ難い。
【００４０】
図２に示すように、支柱部３２は、上方に向けて外面が徐々に外側に広がるように形成されているので、ボール載置部５４ａ，５４ｂ，５４ｃが大きくなっており、ボールＸを安定して受けることができる。
【００４１】
図２に示す支柱部３２は、弾性材料で形成されており、かつ、上方に向けて外面が徐々に外側に広がるように形成されているので、支柱部３２の下端部３６が貫通孔２０に嵌め込まれた状態では、支柱部３２が貫通孔２０の上端部内面（上端縁２０ａを含む。）に圧接される力を、支柱部３２が貫通孔２０の下端部内面（下端縁２０ｂを含む。）に圧接される力よりも大きくすることができる。したがって、支柱部３２をボール載置部５４ａ，５４ｂ，５４ｃに近い部分でしっかりと支持することが可能であり、支柱部３２のがたつきを生じることなく、ボールＸを安定して受けることができる。
【００４２】
また、支柱部３２が貫通孔２０の下端部内面（下端縁２０ｂを含む。）に圧接される力を小さくして、支柱部３２を貫通孔２０に挿入するときの抵抗を小さくすることができるので、支柱部３２の挿入作業を簡単に行うことができる。
【００４３】
図２に示すように、支柱部３２の下端部３６の強度を基部４０で補強できるので、ボールＸを安定して受けることができる。
【００４４】
図３（Ａ）に示すように、スリット４６ａ，４６ｂ，４６ｃのそれぞれが、支柱部３２の上端に開口するＶ字状に形成されているので、谷部５０ａ，５０ｂ，５０ｃを中心として、支柱部３２を変形させ易い。スリット４６ａ，４６ｂ，４６ｃの谷部５０ａ，５０ｂ，５０ｃでは、内側面（上面）が滑らかな曲面に形成されているので、応力集中を抑制することが可能であり、この部分の損傷を抑制できる。
【００４５】
図３（Ｂ）に示すように、ボール載置部５４ａ，５４ｂ，５４ｃが、３つの分割片４８ａ，４８ｂ，４８ｃのそれぞれの上端面５２ａ，５２ｂ，５２ｃに設けられているので、ボールＸ（図２）を３点支持によって安定して受けることができる。また、３つの分割片４８ａ，４８ｂ，４８ｃのそれぞれにおいては、下端部の幅が上端部の幅よりも広くされているので、これによってもボールＸ（図２）を安定して受けることができる。
【００４６】
図２に示すように、ボールスタンド１４の基板３０には、支柱部３２の内部空間Ｓと連通する貫通孔３４が設けられているので、支柱部３２の内部空間Ｓに入り込んだ水などを基板３０の貫通孔３４から外部に排出することができる。
【００４７】
（変形例）
なお、本発明の実施にあたっては、上記実施形態に限定されず、本発明の目的を逸脱しない限りにおいて種々の変更が可能である。例えば、図３（Ａ）に示すように、上記実施形態では、支柱部３２の外形が、下端部３６を含めて円筒状に形成されているが、下端部３６の外形は、三角筒状や四角筒状などの貫通孔２０に嵌め込み可能な他の形状に形成されてもよい。また、支柱部３２の全体の外形は、下端部３６の外形に応じた他の形状に形成されてもよい。
【００４８】
図３（Ａ）に示すように、上記実施形態では、３つのスリット４６ａ，４６ｂ，４６ｃのそれぞれがＶ字状に形成されているが、スリットの形状は、特に限定されるものではなく、例えば、Ｕ字状や全長にわたって一定の幅を有する形状（平行溝）に形成されてもよい。スリットの数は、特に限定されるものではなく、少なくとも１つあればよい。また、スリット４６ａ，４６ｂ，４６ｃは省略されてもよい。すなわち、支柱部３２は、少なくとも使用者によって押し潰して弾性変形させることができる弾性を有する材料で構成されていればよい。
【００４９】
図３（Ａ）に示すように、上記実施形態では、３つの分割片４８ａ，４８ｂ，４８ｃのそれぞれの下端部の幅が上端部の幅よりも広くされているが、これらの下端部の幅は、上端部の幅と同じにされてもよいし、上端部の幅よりも狭くされてもよい。
【００５０】
上記実施形態では、図３（Ａ）に示す基板３０および支柱部３２の全体が弾性材料で形成されているが、支柱部３２だけが弾性材料で形成されてもよい。また、図４に示す基板３０の貫通孔３４を省略して、支柱部３２を有底筒状に形成してもよい。さらに、図４に示す基部４０を省略して、支柱部３２を上下方向の全長にわたって一定の厚さで形成してもよい。
【００５１】
図１に示すように、上記実施形態では、ボールスタンド１４（図３（Ａ），（Ｂ））がスタートマット１０の一部品として用いられているが、ボールスタンド１４は、単独で用いられてもよい。この場合でも、支柱部３２は、上方に向けて外面が徐々に外側に広がるように形成されており、ボール載置部５４ａ，５４ｂ，５４ｃが大きくなっているので、ボールＸが３点支持されることと相俟って、ボールＸを安定して受けることができる。
【符号の説明】
【００５２】
１０…スタートマット、１２…マット本体、１４…ボールスタンド、２０…貫通孔、
３０…基板、３２…支柱部、３６…下端部、３８…上端部、
４６ａ，４６ｂ，４６ｃ…スリット、５４ａ，５４ｂ，５４ｃ…ボール載置部。
【図１】
2018191700.tif 000003
【図２】
2018191700.tif 000004
【図３】
2018191700.tif 000005
【図４】
2018191700.tif 000006